(57)【特許請求の範囲】
【請求項１】
本体部と集塵装置との結合及び分離によって、選択的にアップライトタイプの真空掃除機またはキャニスタータイプの真空掃除機として作動し得る複合型真空掃除機の集塵装置において、
外部より塵の混入した空気を吸入する吸入口を有するクリーニングブラシヘッド部；
上記吸入された空気を取り入れて塵をフィルターリングして集塵し、上記フィルターリングされた空気、すなわち、塵の取り除かれた空気を排出する集塵胴体を含み、上記集塵胴体は、
上記クリーニングブラシヘッド部の吸入口と連通して上記塵の混入した空気を取り込む空気流入口；
上記空気流入口より流入した塵の混入した空気をガイドするための流路を提供する流路部；
集塵袋を収納するために、上記集塵胴体内に形成された集塵袋収納部；
上記流路部の一部を収容し、上記集塵袋収納部を開閉し、上記集塵袋収納部と流路部とを連結または分離させるドア部；
上記本体部との締結のための本体部締結部；及び
上記集塵袋収納部と連通して上記フィルターリングされた空気を排出するための空気排出口；を含むことを特徴とする複合型真空掃除機の集塵装置。
【請求項２】
上記流路部は、
一端が上記空気流入口に連結され、二重折曲され、上記空気流入口より流入した上記塵の混入した空気をガイドする通路を提供する第１流路管；
一端が上記第１流路管の他端に連結され、上記第１流路管より流入した空気をガイドする通路を提供する、フレキシブルな第２流路管；及び
一端が上記第２流路管の他端に連結され、一次折曲され上記第２流路管より流入した空気をガイドする通路を提供する第３流路管；で構成されることを特徴とする請求項１記載の複合型真空掃除機の集塵装置。
【請求項３】
上記集塵袋収納部は、
底面より長手方向に突出した多数のリブからなり、上記集塵袋が吸入空気によって膨らむ時、集塵袋が底面にくっつくのを防止するためのリブ部；
上記集塵袋を挿入して固定し、集塵袋収納部の内側方向及び外側方向へ回転自在な集塵袋ホルダー部；及び
底面より上方に向かい合って突出し、上記集塵袋を挿入して集塵袋が上下左右に移動するのを防止するための一対の集塵袋固定部；を含むことを特徴とする請求項１記載の複合型真空掃除機の集塵装置。
【請求項４】
上記ドア部は、
上記流路部の一部と結合され、上記集塵袋収納部を開閉するように上記集塵胴体とヒンジ結合され、上記集塵袋収納部と流路部とを連結及び分離させるドア胴体部；及び
上記流路部の一部を覆って支持するように上記ドア胴体部と締結され、上記ドア部の開閉を容易にするための引き手を備えたドア胴体部カバー；を含むことを特徴とする請求項１記載の複合型真空掃除機の集塵装置。
【請求項５】
上記集塵胴体は、
上記集塵袋収納部の上部に一定の間隔をおいて形成され、上記ドア部が集塵胴体にしっかり固定されるように機能する多数のドア部締結溝；
集塵袋収納部の下端の集塵胴体より突出し、それぞれヒンジ軸挿入孔を有し、ドア部の集塵袋収納部開閉のためにドア部が回転自在に結合される一対の第１突出部；及び
集塵袋収納部の直上端側の集塵胴体に設置され、集塵袋収納部に吸入された空気が集塵袋収納部外に流出するのを防ぐシーリング部；をさらに含むことを特徴とする請求項１記載の複合型真空掃除機の集塵装置。
【請求項６】
本体部と集塵装置との結合及び分離によって、選択的にアップライトタイプの真空掃除機またはキャニスタータイプの真空掃除機として作動し得る複合型真空掃除機の集塵装置において、
外部より塵の混入した空気を吸入する吸入口を有するクリーニングブラシヘッド部；
上記吸入された空気を取り込んで塵をフィルターリングして集塵し、上記フィルターリングされた空気、即ち、塵の取り除かれた空気を排出する集塵胴体；を含み、上記集塵胴体は、
上記クリーニングブラシヘッド部の吸入口と連通して上記塵の混入した空気を取り込む空気流入口；
一端が上記空気流入口に連結され、二重折曲されて上記空気流入口より流入した上記塵の混入した空気をガイドする通路を提供する第１流路管と、
一端が上記第１流路管の他端に連結され、上記第１流路管より流入した空気をガイドする通路を提供する、フレキシブルな第２流路管と、
一端が上記第２流路管の他端に連結され、一次折曲されて上記第２流路管より流入した空気をガイドする通路を提供する第３流路管とを含み、上記空気流入口より流入した塵の混入した空気をガイドするための流路を提供する流路部；
底面より長手方向に突出した多数のリブからなり、上記集塵袋が吸入された空気によって膨らむ時に集塵袋が底部にくっつくのを防止するためのリブ部と、
上記集塵袋を挿入して固定し、集塵袋収納部の内側方向及び外側方向に回転自在な集塵袋ホルダー部と、
底面より上方向に向かい合って突出し、上記集塵袋を挿入して集塵袋の上下左右への移動を防止するための一対の集塵袋固定部とを含み、集塵袋を収納するために上記集塵胴体内に形成された集塵袋収納部；
上記流路部の一部を収容し、上記集塵袋収納部を開閉し、また上記集塵袋収納部と流路部とを連結または分離するドア部；
上記本体部と締結するための本体部締結部；及び
上記集塵袋収納部と連通し、上記フィルターリングされた空気を排出するための空気排出口；を含むことを特徴とする複合型真空掃除機の集塵装置。
【請求項７】
上記ドア部は、
上記流路部の一部と結合され、上記集塵袋収納部を開閉するように上記集塵胴体とヒンジ結合され、上記集塵袋収納部と流路部とを連結または分離させるドア胴体部；及び
上記流路部の一部を覆って支持するように上記ドア胴体部と締結され、上記ドア部の開閉を助けるために引き手を備えたドア胴体部カバー；を含むことを特徴とする請求項６記載の複合型真空掃除機の集塵装置。
【請求項８】
上記集塵胴体は、
上記集塵袋収納部の上部に一定の間隔をおいて形成され、上記ドア部が集塵胴体にしっかり固定されるように機能する多数のドア部締結溝；
集塵袋収納部の下端の集塵胴体より突出し、それぞれヒンジ軸挿入孔を有し、ドア部の集塵袋収納部開閉のためにドア部が回転自在に結合される一対の第１突出部；及び
集塵袋収納部の直上端側の集塵胴体に設置され、集塵袋収納部に吸入された空気が集塵袋収納部外に流出するのを防止するシーリング部；をさらに含むことを特徴とする請求項６記載の複合型真空掃除機の集塵装置。
【発明の詳細な説明】
【０００１】
【発明の属する技術分野】
本発明は真空掃除機に関し、特に選択的にキャニスタータイプ（ｃａｎｉｓｔｏｒ  ｔｙｐｅ）またはアップライトタイプ（ｕｐｒｉｇｈｔ  ｔｙｐｅ）の真空掃除機として作動し得る複合型真空掃除機の集塵装置に関する。
【０００２】
【従来の技術】
真空掃除機はその形態によってキャニスタータイプの真空掃除機、アップライトタイプの真空掃除機及び複合型真空掃除機に大別される。
【０００３】
キャニスタータイプの真空掃除機は、ブラシヘッドとクリーナー胴体部とが分離された真空掃除機をいう。ブラシヘッドは多数の延長管からなる延長管部と結合する。延長管部はフレキシブルホースを介してクリーナー胴体部に連結される。一般に、クリーナー胴体部は一対の車を備える。一対の車はクリーナー胴体部の移動を容易にする。ブラシヘッドには塵などを吸入する吸入口が形成されている。塵などは吸入口を通してクリーナー胴体部に集められる。すなわち、塵の混入した空気は吸入口を通して吸入され、クリーナー胴体部でフィルターリングされる。従って、塵はクリーナー胴体部に残される。フィルターリングされた空気はクリーナー胴体部外に排出される。
【０００４】
アップライトタイプの真空掃除機は、クリーナーヘッドとクリーナー胴体部とが結合された真空掃除機をいう。アップライトタイプの真空掃除機の機能は、キャニスタータイプの真空掃除機の機能と同様である。
【０００５】
複合型真空掃除機は、それぞれ独立した本体部と集塵部を備えた真空掃除機をいう。本体部と集塵部は結合及び分離が可能である。また、複合型真空掃除機は本体部と集塵部とを結合する結合部を有する。従って、複合型真空掃除機は使用者の必要に応じてキャニスタータイプの真空掃除機またはアップライトタイプの真空掃除機として使用することができる。
【０００６】
図１は一般のキャニスタータイプの真空掃除機の概略側面図で、図２は一般のアップライトタイプの真空掃除機の概略側面図である。
【０００７】
図１及び図２から分かるように、キャニスタータイプの真空掃除機またはアップライトタイプの真空掃除機のクリーナー胴体部１２または２２は、内部の仕切りの壁（図示せず）によって仕切られた集塵室及び駆動室（図示せず）を有する。また、クリーナー胴体部１２または２２には車１１または２１が設けられる。クリーナー胴体部１２または２２は設けられた車１１または２１によって移動する。
【０００８】
キャニスタータイプの真空掃除機のクリーナー胴体部１２はフレキシブルホース１８を介して延長管部１６と連結される。延長管部１６は多数の延長管１６ａ、１６ｂ、１６ｃから構成される。延長管部１６は塵などを吸入するブラシヘッド１３と連結される。
【０００９】
アップライトタイプの真空掃除機のクリーナー胴体部２２はフレキシブルホース２６を介して塵などを吸入するブラシヘッド２３に一体として結合される。２４は吸入力調節スイッチ部で、２５はノブ（ｋｎｏｂ）である。
【００１０】
キャニスタータイプの真空掃除機は、隅になったところの掃除を可能とする。また、キャニスタータイプの真空掃除機においては、ブラシヘッドやその他のノズルなどの付属品の交替が容易で、使用者の負担する荷重が大きくない。しかしながら、キャニスタータイプの真空掃除機は保管において広い収納空間を占めるばかりでなく、クリーナー胴体部にフレキシブルホースや延長管部などを連結したり分解したりするのに手間がかかる。
【００１１】
アップライトタイプの真空掃除機は保管が容易で、広い空間の掃除に有利である。また、アップライトタイプの真空掃除機は別途の準備作業なしに直ちに使用することができる。しかし、クリーナー胴体部の荷重が直接使用者にかかり、隅になったところの掃除には不適合で、掃除の効率性に劣る。
【００１２】
図３はアップライトタイプの真空掃除機として使用される一般の複合型真空掃除機を、また、図４はキャニスタータイプの真空掃除機として使用される一般の複合型真空掃除機をそれぞれ示す。
【００１３】
図３及び図４に示すように、複合型真空掃除機は集塵装置３１と本体部３０とを含む。集塵装置は塵が混入した空気を吸入し、吸入された空気を濾過して塵を集塵して、濾過された空気を排出する。本体部は移動の容易性を考慮して車３２を備えており、空気を吸入するために吸入力を提供する真空ポンプなどを内蔵している。また、集塵装置は本体部への締結部（図示せず）を備える。集塵装置は本体部への締結部を備える。集塵装置は上記本体部への締結部を介して本体部と締結または分離される。上記のような構造で、複合型真空掃除機は使用者の必要あるいは掃除の条件に応じてキャニスタータイプの真空掃除機またはアップライトタイプの真空掃除機への転換が可能である。従って、複合型真空掃除機は掃除の効率を向上させる。
【００１４】
【発明が解決しようとする課題】
本発明の目的は、複合型真空掃除機に適合した集塵構造を有する集塵装置を提供することにある。
【００１５】
【課題を解決するための手段】
上記目的を達成するために、本発明による複合型真空掃除機の集塵装置は、クリーニングブラシヘッド部及び集塵胴体を有する。
【００１６】
集塵胴体は空気流入口、流路部、集塵袋収納部、ドア部、本体部締結部、及び空気排出口を含む。クリーニングブラシヘッド部は外部より塵の混入した空気を吸入する吸入口を有する。集塵胴体は吸入された空気を取り込んで塵をフィルターリングしフィルターリングされた空気を排出する。空気流入口はクリーニングブラシヘッド部の吸入口と連通して塵の混入した空気を取り入れる。流路部は空気流入部より流入した塵の混入した空気をガイドする。集塵袋収納部は集塵袋を収納する。ドア部は流路部の一部を収容して、集塵袋収納部の開閉及び集塵袋収納部と流路部との連結または分離を行う。本体部締結部は本体部と締結される。また、空気排出口は集塵袋収納部と連通してフィルターリングされた空気を排出する。流路部は第１流路管、第２流路管及び第３流路管を含む。第１流路管は一端が空気流入口に連結され、二重折曲され塵の混入した空気をガイドする。第２流路管はフレキシブルで、一端が第１流路管の他端に連結され、第１流路管よりの空気を取り込んでガイドする。第３流路管は一端が第２流路管の他端に連結され、一次折曲され第２流路管よりの空気を取り込んでガイドする。集塵袋収納部はリブ部、集塵袋ホルダー部、及び一対の集塵袋固定部を含む。リブ部は底面より長手方向に突出した多数のリブからなり、集塵袋が吸入された空気によって膨らんだ時に、集塵袋が底部にくっつくのを防ぐ。集塵袋ホルダー部は集塵袋を挿入して固定し、集塵袋収納部の内側方向及び外側方向への回転を可能とする。一対の集塵袋固定部は底面より上向きに向かい合って突出し、集塵袋を挿入した時集塵袋が上下左右に移動するのを防ぐ。上記ドア部はドア胴体部及びドア胴体部カバーを含む。ドア胴体部は流路部の一部と結合され、集塵袋収納部を開閉するように集塵胴体とヒンジ結合され、集塵袋収納部と流路部との連結及び分離を行う。ドア胴体部カバーは流路部の一部を覆って支持するようにドア胴体部と締結され、ドア部の開閉を助けるための引き手を備える。
【００１７】
清掃時にはドア部が閉鎖される。従って、閉鎖されたドア部は集塵胴体の集塵袋収納部を密閉する。塵の混入した空気はクリーニングブラシヘッド部の吸入口を通して集塵胴体内に吸入される。集塵胴体内に吸入された空気は流路部を経由する。流路部を経由した空気は集塵袋内に流入する。集塵袋には微細な孔が設けられていて、塵の混入していない空気（即ち、きれいな空気）は微細孔を介して集塵袋外に抜けていき、塵は集塵袋に残る。きれいな空気は集塵胴体の空気排出口を通して排出される。
【００１８】
かかる構成を有する本発明の集塵装置は、複合型真空掃除機に適合したドア部と流路構造とを備える。
【００１９】
【発明の実施の形態】
以下、図面を参照しながら本発明による一実施例を説明する。
【００２０】
図５は図３または図４の複合型真空掃除機に使用される本発明の実施例による集塵装置の斜視図で、図９は図５の集塵装置をＸーＸ線に沿って切断した断面図で、図１０は一般的な集塵袋の概略図である。
【００２１】
図５、図９及び図１０に示すように、本発明の実施例による集塵装置５００はクリーニングブラシヘッド部６００及び集塵胴体６５０を含む。クリーニングブラシヘッド部６００は吸入口（図示せず）を有する。吸入口は外部より塵の混入した空気を吸入する通路である。吸入口を通して吸入された空気は集塵胴体６５０に流入する。集塵胴体６５０は吸入された空気に混入した塵などをフィルターリングして集塵し、塵の除去された空気を排出する。
【００２２】
集塵胴体６５０は空気流入口６９０、流路部７００、集塵袋収納部８００、ドア部９００、本体部締結部６５５、及び空気排出口９９０を含む。空気流入口６９０は吸入口と連通して吸入口より吸入された空気を取り込む。空気流入口６９０に流入した空気は流路部７００に排出される。流路部７００は空気流入口６９０より流入した空気を集塵袋収納部８００にガイドする流路を提供する。流路部７００は多数の流路管により構成される。
【００２３】
本発明による実施例において、多数の流路管は第１流路管７０２、第２流路管７０４、及び第３流路管７０６からなる。第１流路管７０２は二重折曲された管である。第１流路管７０２の一端は吸入口に結合され、他端は第２流路管７０４の一端に結合される。第２流路管７０４はフレキシブルホースでもいい。第２流路管７０４の他端は第３流路管７０６の一端に結合される。第３流路管７０６は一次折曲された管である。第３流路管７０６の他端は集塵袋収納部８００に連結される。本発明による実施例では、第３流路管７０６は９０°だけ折曲される。流路部７００の多数の流路管７０２、７０４、７０６は吸入口より吸入された空気を集塵袋収納部８００にガイドする通路を提供する。
【００２４】
本体部締結部６５５は図４の本体部３０との締結のための手段である。
【００２５】
図６は図５における集塵装置のドア部を集塵胴体から分解した集塵装置の分解斜視図である。図７は図６における集塵装置の一部を詳しく示す図である。図６及び図７に示すように、集塵胴体６５０は一対のドア部締結溝６６０、一対のヒンジ軸挿入孔９３６を有する一対の第１突出部９３８、及びシーリング部６８０を含む。一対のドア部締結溝６６０は、上記ドア部９００が集塵胴体６５０にしっかり固定されるようにするものである。
【００２６】
一対のドア部締結溝６６０は集塵袋収納部８００の上部に一定の間隔をおいて形成された一対の溝である。一対のドア部締結溝６６０はシーリング部の上部に形成される。一対の第１突出部９３８は集塵袋収納部８００の下端の集塵胴体６５０より突出し、それぞれヒンジ軸挿入孔９３６の形成された一対の突出部である。一対のヒンジ軸挿入孔９３６は、一対の第１突出部９３８にそれぞれ形成される。一対のヒンジ軸挿入孔９３６にはドア部６００が集塵袋収納部８００の開閉のために回転自在に結合される。集塵袋収納部８００は集塵袋９９１の収納のために集塵胴体６５０内に形成された空間である。集塵袋収納部８００はリブ部８０２、集塵袋ホルダー部８０４及び一対の集塵袋固定部８０６を含む。
【００２７】
リブ部８０２は多数のリブからなる。多数のリブはそれぞれ、集塵袋収納部８００の底部に形成された突出部である。多数のリブはそれぞれ集塵胴体６５０に沿って長手方向に形成される。多数のリブは相互一定の間隔をおいて離隔している。集塵袋９９１が吸入した空気によって膨らむ時、リブ部８０２は集塵袋９９１が集塵袋収納部８００の底部にくっつくのを防ぐ。こうしてリブ部８０２は、集塵袋９９１において吸入された空気が円滑にフィルターリングされるのを助ける。
【００２８】
集塵袋ホルダー部８０４は集塵袋９９１を挿入して固定させ、集塵袋収納部８００の内側及び外側方向に回転する。集塵袋ホルダー部８０４は集塵袋挿入胴体８０４ａ、スプリング８０４ｂ及び一対の突出部挿入溝８０４ｃを含む。集塵袋挿入胴体８０４ａは集塵袋収納部８００の内側及び外側に回転自在に一対の突出部挿入溝８０４ｃに結合される。集塵袋収納部８００は集塵袋９９１の挿脱のための空間を提供し、集塵袋の設置及び分離を容易にする。
【００２９】
集塵袋挿入胴体８０４ａの向かい合った両側下端部にはそれぞれ突出部８０４ａａが形成される。一対の突出部挿入溝８０４ｃは集塵袋収納部８００の下端側の集塵胴体６５０に向かい合うように形成される。一対の突出部８００ａａは、一対の突出部挿入溝８０４ｃに対応するように挿入される。従って、一対の突出部８００ａａは集塵袋挿入胴体８０４ａの回転軸となる。集塵袋挿入胴体８０４ａの上側端は集塵袋挿入溝８０４ａｂを有する。集塵袋挿入溝８０４ａｂには集塵袋９９１が挿入され固定される。スプリング８０４ｂは一対の突出部８０４ａａのいずれか一方の突出部上に設置される。スプリング８０４ｂの一端は集塵袋収納部８００の内側に面する集塵袋挿入胴体８０４ａの側を支持する。スプリング８０４ｂは集塵袋挿入胴体８０４ａに集塵袋収納部８００外側方向への回転力を提供する。これにより、後述するドア部９００が開放される時、集塵袋挿入胴体８０４ａはスプリング８０４ｂによって集塵袋収納部８００の外側方向へと回転される。
【００３０】
一対の集塵袋固定部８０６は集塵袋収納部８００上に向かい合うように形成された一対の突出部である。一対の集塵袋固定部８０６は集塵袋挿入溝８０４ａｂに挿入された集塵袋９９１を対応する両側で固定する。一対の集塵袋固定部８０６により、集塵袋９９１が集塵袋収納部８００内で上下左右に移動するのが防止される。
【００３１】
シーリング部６８０は集塵袋収納部８００の直上端側の集塵胴体６５０に設置される。シーリング部６８０は集塵袋収納部８００に吸入された空気が集塵袋収納部８００の外部に流出するのを防ぐ。
【００３２】
図８は図６のドア部を分解した図である。図７に示すように、ドア部９００はドア胴体部９０２とドア胴体部カバー９０５を含む。ドア部９００は集塵袋収納部８００を開閉し、集塵袋収納部８００と流路部７００とを連結または分離する。ドア胴体部９０２は第１基板９０４、第１基板９０４の対向する両側に形成された第１側壁９０６及び第２側壁９０８、第１基板９０４の上端に形成された第３側壁９１０、第１基板９０４の下端に形成された第４側壁９１２及び一対のヒンジ部９１６を備える。
【００３３】
第１基板９０４の前面には四角い凹溝９１８が形成され、溝９１８には円形の孔９２０が形成される。孔９２０にはゴムシーリング９２２が挿入される。ゴムシーリング９２２の一面には第３流路管７０６の他端を収容して固定する円形の溝９２４が形成され、ゴムシーリング９２２の他側には集塵袋９９１の空気流入口９９９に挿入されるように円形の突出部が形成される。第１側壁乃至第４側壁９０６、９０８、９１０、９１２は集塵胴体６５０側に突出して形成される。一対のヒンジ部９１６は第４側壁９１２の外側底面から突出して折曲される。一対のヒンジ部９１６のそれぞれの一端には向かい合って突出したヒンジ軸９２６を有する。第３側壁９１０には横方向の溝９２８が形成される。第１側壁９０６と第４側壁９１２との間、また、第２側壁９０８と第４側壁９１２との間には溝９３０が形成される。上記凹溝９１８の四つの角にはそれぞれ締結孔９３２が形成される。
【００３４】
上記基板９０４の後面上には一対のシーリング部支持突出部９３４及び一対の係止突起９３５が形成される。一対のシーリング部支持突出部９３４は集塵袋収納部８００の上端部に設けられたシーリング部６８０を支持する。シーリング部支持突出部９３４は集塵袋収納部８００に吸入された空気の圧力によってシーリング部６８０と集塵胴体６５０との間に隙間が生じるのを防止する。一対のヒンジ軸９２６は一対のヒンジ軸挿入孔９３６に挿入される。一対のヒンジ軸９２６の一対のヒンジ軸挿入孔９３６への挿入はドア部９００の集塵袋収納部８００の開閉のために回転自在にする。
【００３５】
一対の係止突起９３５は、集塵袋挿入胴体８０４ａに集塵袋９９１が挿入されていない状態でドア部９００が閉ざされる時は、集塵袋挿入胴体８０４ａが一対の係止突起９３５に係止されるようにして、ドア部９００が閉鎖されないようにする。また、集塵袋挿入胴体８０４ａに集塵袋９９１を挿入しないでドア部９００を閉じようとする時は、集塵袋挿入胴体８０４ａを集塵袋収納部８００の内側に押し込んで一対の係止突起９３５が集塵袋挿入胴体８０４ａにひっかからないようにした後、ドア部９００を閉じる。
【００３６】
ドア胴体部カバー９０５は折曲された第２基板９４０、第２基板９４０の対向する両側に形成された第５側壁９４２及び第６側壁９４４を含む。第２基板９４０の前面には引き手９４３が形成される。引き手９４３はドア部９００の集塵袋収納部８０の開閉を容易にする。第２基板９４０の後面は、一対の第１締結突出部９４４、第１挿入突出部９４６、４つの締結溝９４８、流路部収納溝９５０、及び一対の第２挿入突出部９５２を有する。一対の第１締結突出部９４４は後面の上端部に形成された突出部である。ドア部９００の閉鎖時に、一対の第１締結突出部９４４は集塵胴体６５０の一対のドア部締結溝６６０と締結される。従って、一対の第１締結部９４４はそれぞれ一対のドア締結溝６６０のそれぞれに対応するように形成される。
【００３７】
第１締結突出部９４４とドア部締結溝６６０の結合は、ドア部９００がしっかり集塵胴体６５０に固定されるようにする。
【００３８】
第１挿入突出部９４６は第１締結突出部９４４の直下位置に長手方向に形成された突出部である。ドア部９００の閉鎖時、第１挿入突出部９４６は第３側壁に形成された横方向の溝９２８に挿入される。第１挿入突出部９４６はドア胴体部カバー９０５がドア胴体部９０２上で揺れるのを防止するために、ドア胴体部９０２に固定されるのを助ける。４つの締結溝９４８はドア胴体９０２の４つの締結孔９３２に締結される。締結手段はネジでもいい。流路部収納溝９５０は第３流路管７０６を支持するように長手方向に形成された半円状である。第３流路管７０６の長さは一対の第２挿入突出部９５２に至る。
【００３９】
一対の第２挿入突出部９５２は４つの締結溝９４８の下端に形成される。一対の第２挿入突出部９５２は第１側壁９０６と第４側壁９１２との間、及び第２側壁９０８と第４側壁９１２との間に形成された一対の溝９３０に挿入され、ドア胴体部カバー９０５をドア胴体部９０２に固定する。第２流路管７０６の上端の一部が流路部収納溝９５０に収容されてドア部６５０が開閉されるように柔軟性を提供する。
【００４０】
集塵袋収納部８００の上端は空気排出口（図示せず）の一端と連通する。空気排出口の他端は図４におけるホースに連結される。集塵袋収納部８００と空気排出口との連通は一般的な連通構造でよい。
【００４１】
以下、本発明の実施例による集塵装置の作動を説明する。
【００４２】
まず、清掃時において空気を吸入して塵をフィルターリングする場合について説明すれば、次のようである。
【００４３】
清掃時にはドア部９００が閉鎖される。従って、閉鎖されたドア部９００は集塵胴体６５０の集塵袋収納部８００を密閉する。
【００４４】
塵の混入した空気はクリーニングブラシヘッド部６００の吸入口を介して集塵胴体６５０内に吸入される。集塵胴体６５０内に吸入された空気は流路部７００の第１流路感７０２、第２流路管７０４及び第３流路管７０６を経由する。第３流路管７０６を経由した空気は集塵袋内に流入する。集塵袋には微細な孔が形成されていて、塵の混入していない空気（きれいな空気）は微細な孔を介して集塵袋外に抜けていき、塵は集塵袋内に残される。きれいな空気は集塵胴体６５０の空気排出口を介して図４のホース３６に流入する。
【００４５】
次は、集塵袋９９１を集塵袋収納部８００に挿入したり取り外したりする場合を説明する。
【００４６】
図１０は一般の集塵袋の概略図である。集塵袋９９１の一部分は空気流入口９９９の形成された固い紙９９３でできている。集塵袋９９１を集塵袋収納部８００に収納するためには、まず、紙９９３の一端９９５を集塵袋挿入胴体８０４ａの集塵袋挿入溝８０４ａｂに挿入する。９９７は一対の集塵袋溝である。集塵袋９９１が集塵袋挿入溝８０４ａｂに挿入された後、一対の集塵袋溝９９７はそれぞれ一対の集塵袋固定部８０６に挿入され一対の集塵袋溝９９７を固定する。一対の集塵袋溝９９７が一対の集塵袋固定部８０６に挿入された後、集塵袋収納部８００を密閉するために、ドア部９００を閉じる。集塵袋９９１の取り外しにあたっては、集塵袋９９１の挿入時と逆の順に行う。
【図面の簡単な説明】
【図１】一般的なキャニスタータイプの真空掃除機の概略的な側面図である。
【図２】一般的なアップライトタイプの真空掃除機の概略的な側面図である。
【図３】アップライトタイプの真空掃除機として使用される一般の複合型真空掃除機を示す図である。
【図４】キャニスタータイプの真空掃除機として使用される一般の複合型真空掃除機を示す図である。
【図５】図３または図４の複合型真空掃除機に使用される本発明の一実施例による集塵装置の斜視図である。
【図６】図５の集塵装置のドア部を集塵胴体から分離した分解斜視図である。
【図７】図６の集塵装置の一部を詳しく示す図である。
【図８】図６のドア部を分解した分解斜視図である。
【図９】図５の集塵装置をＸ−Ｘ方向に沿って切断した断面図である。
【図１０】一般の集塵袋の概略図である。
【符号の説明】
５００    集塵装置
６００    クリーニングブラシヘッド部
６５０    集塵胴体
６９０    空気流入口
７００    流路部
８００    集塵袋収納部
９００    ドア部
【図１】
0003603214.tif 000002
【図２】
0003603214.tif 000003
【図３】
0003603214.tif 000004
【図４】
0003603214.tif 000005
【図５】
0003603214.tif 000006
【図６】
0003603214.tif 000007
【図７】
0003603214.tif 000008
【図８】
0003603214.tif 000009
【図９】
0003603214.tif 000010
【図１０】
0003603214.tif 000011